【手続補正書】
【提出日】平成17年10月5日(2005.10.5)
【手続補正１】
【補正対象書類名】明細書
【補正対象項目名】発明の名称
【補正方法】変更
【補正の内容】
【発明の名称】電子機器、及び情報処理方法
【手続補正２】
【補正対象書類名】明細書
【補正対象項目名】特許請求の範囲
【補正方法】変更
【補正の内容】
【特許請求の範囲】
【請求項１】 電子機器とサーバ装置と前記電子機器にアクセスするアクセス装置を有する情報処理システムを構成する前記電子機器であって、
前記電子機器は、
当該電子機器または他の電子機器を操作するための画面を構成する情報である操作画面情報が格納される操作画面情報格納部と、
前記アクセス装置の要求に応じて、前記操作画面情報を送信する操作画面情報送信部と、
前記アクセス装置からの機器操作情報を受け付ける機器操作情報受信部と、
前記機器操作情報受信部が受け付けた機器操作情報に基づいて動作する機器動作部を具備し、
前記サーバ装置は、
前記アクセス装置を識別する情報であるアクセス装置識別子と前記電子機器にアクセスするための情報を有する情報を１以上有するアクセス情報管理部と、
前記アクセス装置からアクセス装置識別子を有する送信命令を受信する送信命令受信部と、
前記送信命令受信部が受信した送信命令が有するアクセス装置識別子と対になる電子機器にアクセスするための情報を有する電子機器アクセス情報を前記アクセス装置に送信する電子機器アクセス情報送信部を具備し、
前記アクセス装置は、
当該アクセス装置を識別する情報であるアクセス装置識別子が格納されるアクセス装置識別子格納部と、
前記サーバ装置を識別する情報であるサーバ装置識別子が格納されるサーバ装置識別子格納部と、
前記サーバ装置へのアクセス要求を受け付けるアクセス要求受付部と、
前記アクセス要求受付部がアクセス要求を受け付けた場合に、前記サーバ装置識別子格納部に格納されているサーバ装置識別子で識別されるサーバ装置に、前記電子機器にアクセスするための情報である電子機器アクセス情報の送信を促す命令であり、かつ前記アクセス装置識別子を有する命令である送信命令を送信する送信命令送信部と、
前記送信命令の送信に対応して前記サーバ装置から送信された電子機器アクセス情報を受信する電子機器アクセス情報受信部と、
前記電子機器アクセス情報受信部が受信した電子機器アクセス情報に基づいて前記電子機器に操作画面情報の送信を促し、当該操作画面情報を受信する操作画面情報受信部と、
前記操作画面情報受信部が受信した操作画面情報に基づいて操作画面を表示する操作画面表示部と、
前記操作画面表示部が表示した操作画面に基づいて入力された機器操作情報を受け付ける機器操作情報受付部と、
前記機器操作情報を前記電子機器に送信する機器操作情報送信部を具備する、電子機器。
【請求項２】 前記電子機器は、
前記機器操作情報受信部で受け付けた機器操作情報を蓄積する機器操作情報設定部をさらに具備し、
前記機器動作部は、前記機器操作情報設定部が蓄積した機器操作情報に基づいて動作する、請求項１記載の電子機器。
【請求項３】 電子機器とサーバ装置と前記電子機器にアクセスするアクセス装置を有する情報処理システムを構成する前記電子機器であって、
前記電子機器は、
当該電子機器または他の電子機器を操作するための画面を構成する情報である操作画面情報が格納される操作画面情報格納部と、
前記アクセス装置の要求に応じて、前記操作画面情報を送信する操作画面情報送信部と、
前記アクセス装置からの機器操作情報を受け付ける機器操作情報受信部と、
前記機器操作情報受信部が受け付けた機器操作情報を蓄積する機器操作情報設定部を具備し、
前記サーバ装置は、
前記アクセス装置を識別する情報であるアクセス装置識別子と前記電子機器にアクセスするための情報を有する情報を１以上有するアクセス情報管理部と、
前記アクセス装置からアクセス装置識別子を有する送信命令を受信する送信命令受信部と、
前記送信命令受信部が受信した送信命令が有するアクセス装置識別子と対になる電子機器にアクセスするための情報を有する電子機器アクセス情報を前記アクセス装置に送信する電子機器アクセス情報送信部を具備し、
前記アクセス装置は、
当該アクセス装置を識別する情報であるアクセス装置識別子が格納されるアクセス装置識別子格納部と、
前記サーバ装置を識別する情報であるサーバ装置識別子が格納されるサーバ装置識別子格納部と、
前記サーバ装置へのアクセス要求を受け付けるアクセス要求受付部と、
前記アクセス要求受付部がアクセス要求を受け付けた場合に、前記サーバ装置識別子格納部に格納されているサーバ装置識別子で識別されるサーバ装置に、前記電子機器にアクセスするための情報である電子機器アクセス情報の送信を促す命令であり、かつ前記アクセス装置識別子を有する命令である送信命令を送信する送信命令送信部と、
前記送信命令の送信に対応して前記サーバ装置から送信された電子機器アクセス情報を受信する電子機器アクセス情報受信部と、
前記電子機器アクセス情報受信部が受信した電子機器アクセス情報に基づいて前記電子機器に操作画面情報の送信を促し、当該操作画面情報を受信する操作画面情報受信部と、
前記操作画面情報受信部が受信した操作画面情報に基づいて操作画面を表示する操作画面表示部と、
前記操作画面表示部が表示した操作画面に基づいて入力された機器操作情報を受け付ける機器操作情報受付部と、
前記機器操作情報を前記電子機器に送信する機器操作情報送信部を具備する、電子機器。
【請求項４】 操作画面情報を有する電子機器であって、
当該電子機器または他の電子機器を操作するための画面を構成する情報である操作画面情報が格納される操作画面情報格納部と、
要求に応じて、前記操作画面情報を送信する操作画面情報送信部と、
機器操作情報を受け付ける機器操作情報受信部と、
前記機器操作情報受信部が受け付けた機器操作情報に基づいて動作する機器動作部を具備する電子機器。
【請求項５】 前記機器操作情報受信部で受け付けた機器操作情報を蓄積する機器操作情報設定部をさらに具備し、
前記機器動作部は、前記機器操作情報設定部が蓄積した機器操作情報に基づいて動作する、請求項４記載の電子機器。
【請求項６】 操作画面情報を有する電子機器であって、
当該電子機器を操作するための画面を構成する情報である操作画面情報が格納される操作画面情報格納部と、
要求に応じて、前記操作画面情報を送信する操作画面情報送信部と、
機器操作情報を受け付ける機器操作情報受信部と、
前記機器操作情報受信部が受け付けた機器操作情報を蓄積する機器操作情報設定部を具備する電子機器。
【請求項７】 操作画面情報を有する電子機器であって、
他の電子機器を操作するための画面を構成する情報である操作画面情報が格納される操作画面情報格納部と、
要求に応じて、前記操作画面情報を送信する操作画面情報送信部と、
機器操作情報を受け付ける機器操作情報受信部と、
前記機器操作情報受信部が受け付けた機器操作情報を蓄積する機器操作情報設定部を具備する電子機器。
【請求項８】 機器の操作のための画面を構成する情報である操作画面情報を格納しており、要求に応じて当該操作画面情報を送信し、機器操作情報を受け付けた場合には、当該機器操作情報に基づいて動作する電子機器。
【請求項９】 機器の操作のための画面を構成する情報である操作画面情報を格納しており、要求に応じて当該操作画面情報を送信し、機器操作情報を受け付けた場合には、当該機器操作情報を蓄積する電子機器。
【請求項１０】 電子機器において用いられる情報処理方法であって、
要求に応じて、当該電子機器または他の電子機器を操作するための画面を構成する情報である操作画面情報を送信する操作画面情報送信ステップと、
機器操作情報を受け付ける機器操作情報受信ステップと、
前記機器操作情報受信ステップで受け付けた機器操作情報に基づいて動作する機器動作ステップを具備する情報処理方法。
【請求項１１】 前記機器操作情報受信ステップで受け付けた機器操作情報を蓄積する機器操作情報設定ステップをさらに具備し、
前記機器動作ステップにおいて、前記機器操作情報設定ステップで蓄積した機器操作情報に基づいて動作する、請求項１０記載の情報処理方法。
【請求項１２】 電子機器において用いられる情報処理方法であって、
要求に応じて、当該電子機器または他の電子機器を操作するための画面を構成する情報である操作画面情報を送信する操作画面情報送信ステップと、
機器操作情報を受け付ける機器操作情報受信ステップと、
前記機器操作情報受信ステップで受け付けた機器操作情報を蓄積する機器操作情報設定ステップを具備する情報処理方法。
【請求項１３】 コンピュータに、
電子機器における処理を実行させるためのプログラムであって、
要求に応じて、当該電子機器または他の電子機器を操作するための画面を構成する情報である操作画面情報を送信する操作画面情報送信ステップと、
機器操作情報を受け付ける機器操作情報受信ステップと、
前記機器操作情報受信ステップで受け付けた機器操作情報に基づいて動作する機器動作ステップを実行させるためのプログラム。
【請求項１４】 コンピュータに、
前記機器操作情報受信ステップで受け付けた機器操作情報を蓄積する機器操作情報設定ステップをさらに実行させ、
前記機器動作ステップにおいて、前記機器操作情報設定ステップで蓄積した機器操作情報に基づいて動作する、請求項１３記載のプログラム。
【請求項１５】 コンピュータに、
電子機器における処理を実行させるためのプログラムであって、
要求に応じて、当該電子機器または他の電子機器を操作するための画面を構成する情報である操作画面情報を送信する操作画面情報送信ステップと、
機器操作情報を受け付ける機器操作情報受信ステップと、
前記機器操作情報受信ステップで受け付けた機器操作情報を蓄積する機器操作情報設定ステップを実行させるためのプログラム。
【手続補正３】
【補正対象書類名】明細書
【補正対象項目名】００１０
【補正方法】変更
【補正の内容】
【００１０】
操作画面情報送信部１１０２は、アクセス装置１４の要求に応じて、操作画面情報格納部１１０１に格納されている操作画面情報を取得し、ルーター１２経由でアクセス装置１４に送信する。なお、アクセス装置１４の要求に応じて操作画面情報を取得するとは、通常、二以上ある操作画面情報のうちから一の操作画面情報を選択することを言う。但し、操作画面情報が一つだけである場合は、選択の必要はないのは言うまでもない。操作画面情報送信部１１０２は、通常、無線または有線の通信手段（例えば、ネットワークカードとそのドライバーソフト等）で実現され得るが、放送手段で実現しても良い。
【手続補正４】
【補正対象書類名】明細書
【補正対象項目名】００５８
【補正方法】変更
【補正の内容】
【００５８】
なお、図５のフローチャートにおいて、ステップＳ５０７からステップＳ５０９は必須ではない。つまり、電子機器アドレス情報の全部または一部を、アクセス装置１４で表示して、ユーザ指示に基づいて操作画面情報の送信を促す必要はない。例えば、電子機器アドレス情報が電子機器１１のＩＰアドレスを含むＵＲＬをアクセス装置１４に送信し、一定時間後に自動的にＵＲＬが示すページ（ＨＴＭＬで記載されたデータ）にジャンプするなどにより、ユーザの指示なしに次のステップ（電子機器に操作画面情報の送信を促す動作）に移っても良い。
【手続補正５】
【補正対象書類名】明細書
【補正対象項目名】００６２
【補正方法】変更
【補正の内容】
【００６２】
以下、上記の動作の流れを詳細に説明する。本情報処理システムの具体的な動作について、図９を用いて説明する。まず、携帯電話１４のユーザがサーバ装置１３へのアクセス要求を入力する。本アクセス要求は、サーバ装置識別子（サーバ装置１３にアクセスするためのＵＲＬ）がブックマークとして登録されており、かかるブックマークを選択することにより行われる（図９の（１））。次に、携帯電話１４が自身の電話番号「０９０−１１１１−２２２２」を含む送信命令をサーバ装置１３に送信して、接続に行く（図９の（２））。次に、サーバ装置１３は、電話番号「０９０−１１１１−２２２２」をキーとして図７の管理表を検索し、「ページ名」「グローバルＩＰアドレス」「電子機器名」「暗証番号」を有する電子機器アクセス情報（”山田君”のページ）を携帯電話１４に送信する（図９の（３））。その際、サーバ装置１３が格納している広告情報（図示しない）も併せて送信する、とする。そして、携帯電話１４は、電子機器アクセス情報を受信し、電子機器アクセス情報の一部、または全部を表示する。その際、携帯電話１４は、受信した広告情報も表示する。そして、ユーザは、アクセスしたい電子機器１１を選択する（図９の（４））。図９においては、一つしかアクセス可能な電子機器はないが、複数のアクセス可能な電子機器があっても良い、ことは言うまでもない。また、図９において図示していないが、図９の（４）の選択は、暗証番号「０１２３」を入れることにより可能になる。
【手続補正６】
【補正対象書類名】明細書
【補正対象項目名】００６５
【補正方法】変更
【補正の内容】
【００６５】
なお、本実施の形態において、グローバルＩＰアドレスはＩＰＶｅｒ４のＩＰアドレスを例に説明したが、ＩＰＶｅｒ６のグローバルＩＰアドレスなど、他の形式でも良い。また、グローバルＩＰアドレスは、単に、通信先を特定する情報ぐらいの意味であり、グローバルＩＰアドレスの代わりに、外部の情報処理装置と通信するための他の形式の情報を用いても良い。